(57)【要約】【課題】照明器具本体の制御ブロックケースに用いる材料の使用量を抑制しつつ、制御ブロックケース及び照明器具本体と制御基板間の絶縁を簡易的に高めることのできる照明器具を提供すること。【解決手段】開口面２ａを照明器具本体１に向けて取付けられる開口面２ａを有する箱型の制御ブロックケース２と、制御ブロックケース２内の対向する側壁２ｂに設けた係止部２ｃによって係止される制御基板３と、制御基板３と制御ブロックケース２間に介在させて制御基板３の照明器具本体１に対向する面を覆って制御基板３と制御ブロックケース２とを絶縁する絶縁シート４と、を備えている。制御ブロックケース２内の対向する側壁２ｂには、側壁２ｂの紙面上での下側に、一対の制御基板３を係止する係止部２ｃを設けている。【選択図】        図２
2004259520.tif 000002
【特許請求の範囲】
【請求項１】
開口面が照明器具本体に向けて取付けられる開口面を有する箱型の制御ブロックケースと、制御ブロックケース内の対向する側面に設けた係止部によって係止される制御基板と、制御基板と制御ブロックケース間に介在させて制御基板の照明器具本体に対向する面又は制御基板の両面を覆って制御基板を制御ブロックケース及び照明器具本体から絶縁する絶縁シートと、を備えたことを特徴とする照明器具用制御ブロック。
【請求項２】
前記絶縁シートは、両端部近傍に孔を有し、制御基板の照明器具本体に対向する面を覆って当該孔を制御ブロックケースの対向する側面に設けた突起部に引掛けて係止するものであることを特徴とする請求項１記載の照明器具用制御ブロック。
【請求項３】
前記絶縁シートは、制御基板の両面を覆い、制御ブロックケースの開口面近傍で絶縁シートの両端部を係止することにより略筒状に形成したものであることを特徴とする請求項１記載の照明器具用制御ブロック。
【請求項４】
前記制御ブロックケースは、照明器具本体への取付け前に制御ブロックケースの開口面を覆って装着され、照明器具本体への取付け時に取り外される板材を備えることを特徴とする請求項１乃至請求項３記載の照明器具用制御ブロック。
【発明の詳細な説明】
【０００１】
【発明の属する技術分野】
本発明は、照明器具用制御ブロックに関するものである。
【０００２】
【従来の技術】
調光等の制御を行う照明器具用制御ブロックは、一般に閉じた制御ブロックケースに収納された状態で照明器具本体に取り付けられる。この場合、制御ブロックケース設置部分は、照明器具本体と制御ブロックケースとの２重構造となっており、材料使用量を抑制できる余地があった。
【０００３】
このような課題に対しては、特開平８−１０２２１２号公報に示されるものがある。このものは前述の制御ブロックケースに相当するユニットカバーの開放された上面側の縁部、言い換えれば、側壁と端壁とからなる周壁の上端部内面には夫々一対の爪が一体に突設されている。この爪の上部は、斜面で形成されている。各爪は、ユニットカバーの上面開放部を塞ぐように配置されたプリント配線板のパターン面における周縁部上面に引掛けられて、プリント配線板がユニットカバー内から外れないように保持している。
【０００４】
【特許文献１】
特開平８−１０２２１２号公報
【０００５】
【発明が解決しようとする課題】
上記従来例の構成においては、ユニットカバーが開口面を有しているため、ユニットカバーと照明器具本体の取り付け部では、照明器具本体のみの１重構造となっている。これにより、ユニットカバーと照明器具本体の２重構造のものに比べて、材料の使用量を抑制することができる。このものにおいては、照明器具本体とプリント配線板間は空気層により絶縁されているが、より絶縁性を高めることが品質上望ましい。また、ユニットカバーをアルミ等の金属材料で形成した場合には、プリント配線板とユニットカバー間の絶縁性を高めることも必要である。
【０００６】
本発明は、かかる事由に鑑みてなしたものであり、その目的とするところは、照明器具本体の制御ブロックケース（ユニットカバーに相当）に用いる材料の使用量を抑制しつつ、制御ブロックケース及び照明器具本体と制御基板間の絶縁を簡易的に高めることのできる照明器具用制御ブロックを提供することである。
【０００７】
【課題を解決するための手段】
請求項１に係る発明は、開口面を照明器具本体に向けて取付けられる開口面を有する箱型の制御ブロックケースと、制御ブロックケース内の対向する側面に設けた係止部によって係止される制御基板と、制御基板と制御ブロックケース間に介在させて制御基板の片面又は両面を覆って制御基板と制御ブロックケースとを絶縁する絶縁シートと、を備えたことを特徴とする。
【０００８】
請求項２に係る発明は、請求項１記載の発明において、前記絶縁シートは、両端部近傍に孔を有し、制御基板の片面を覆って当該孔を制御ブロックケースの対向する側面に設けた突起部に引掛けて係止するものであることを特徴とする。
【０００９】
請求項３に係る発明は、請求項１記載の発明において、前記絶縁シートは、制御ブロックケースの開口面近傍で絶縁シートの両端部を係止することにより略筒状に形成して、前記制御基板の両面を覆うものであることを特徴とする。
【００１０】
請求項４に係る発明は、請求項１乃至請求項３記載の発明において、前記制御ブロックケースは、照明器具本体への取付け前に制御ブロックケースの開口面を覆って装着され、照明器具本体への取付け時に脱着される板材を備えたことを特徴とする。
【００１１】
【発明の実施の形態】
（第１の実施形態）
第１の実施形態を図１及び図２に基づいて説明する。図１は、本実施形態の分解斜視図である。図２は、本実施形態の断面図である。
【００１２】
本実施形態は、開口面２ａを照明器具本体１に向けて取付けられる開口面２ａを有する箱型の制御ブロックケース２と、制御ブロックケース２内の対向する側壁２ｂに設けた係止部２ｃによって係止される制御基板３と、制御基板３と制御ブロックケース２間に介在させて制御基板３の照明器具本体１に対向する面を覆って制御基板３を制御ブロックケース２及び照明器具本体１から絶縁する絶縁シート４と、を備えている。
【００１３】
制御ブロックケース２は、例えばアルミ板等の金属板材を、開口面２ａを有する箱型形状に形成したものである。制御ブロックケース２内の対向する側壁２ｂには、側壁２ｂの紙面上での下側に、一対の制御基板３を係止する係止部２ｃを設けている。係止部２ｃは、突起部２ｅと可動片２ｆからなるものである。突起部２ｅは、側壁２ｂの一部に略半円状の切り込みを入れて制御ブロックケース２の内側に押し込んだものである。また、可動片２ｆは、側壁２ｂを略コの字状に切り欠いて、切り欠いた部分で囲まれた部分を制御ブロックケース２内に収納した後に制御ブロックケース２の内側に押し込むものである。さらに、対向する側壁２ｂの中央部に、略コの字状に切り込みを入れて、切り込みを入れた部分を制御ブロックケース２の内側に押し込むことにより凸部２ｇを形成している。
【００１４】
制御基板３は、ガラスエポキシ基板に銅箔の配線パターンを形成し、複数個の回路素子（図示はしない）を実装したもので、制御ブロックケース２内に収納されて、対向する側壁２ｂに設けた突起部２ｅと可動片２ｆの間に、挟みこまれて係止されている。
【００１５】
絶縁シート４は、例えばアクリル等の絶縁体からなる板材を折り曲げて略コの字状に形成したもので、絶縁シート４の対向する側壁４ａに略四辺形の固定孔４ｂを設けている。そして、図２に示すように、絶縁シート４は、制御基板３と制御ブロックケース２間に介在するように制御ブロックケース２内に収納され、制御基板３の照明器具本体１に対向する面３ａを覆って制御ブロックケース２内の凸部２ｇに固定孔４ｂを引っ掛けることにより係止されている。
【００１６】
以上の構成により、制御基板３と制御ブロックケース２間に絶縁シート４が介在するため、制御ブロックケース２及び照明器具本体１と制御基板３間の絶縁を簡易的に高めることができる。
（第２の実施形態）
第２の実施形態を図３〜図５に基づいて説明する。図３は、本実施形態の分解斜視図である。図４は、本実施形態の絶縁シート４の斜視図である。図５は、本実施形態の断面図を示すものである。図６は、本実施形態の別例の絶縁シート４の斜視図である。図７は、本実施形態の別例の切り欠き４ｇ近傍を示す図である。
【００１７】
本実施形態の絶縁シート４は、制御ブロックケース２の開口面２ａの近傍で絶縁シート４の両端部４ｄを係止することにより略筒状に形成して、制御基板３の両面を覆うものである。すなわち、絶縁シート４を、開口部４ｅを有する略筒状に形成している。そして、絶縁シート４の端部４ｄ近傍には、孔４ｃ及び爪部４ｆを設けている。この絶縁シート４は、開口部４ｅを紙面上での下方に向けて、制御ブロックケース２の内部に収納される。制御基板３は、制御ブロックケース２の対向する側壁２ｂに設けた突起部２ｅと可動片２ｆの間に挟みこまれて係止される。そして、図４及び図５に示すように爪部４ｆを孔４ｃに引っ掛けることによって、両端部４ｄを係止することにより略筒状に形成される。
【００１８】
図６に、本実施形態の別例の斜視図を示す。この別例では、絶縁シート４の開口部４ｅを紙面上での下方向に設け、端部４ｄに一対の対応する略Ｌ字形状の切り欠き４ｇを設けて突起部４ｈを形成している。この形状において、絶縁シート４は、開口部４ｅを紙面上での下方に向けて、制御ブロックケース２の内部に収納される。図７（ａ）は、突起部４ｈが係止されていない状態を示す図である。この状態で、突起部４ｈを、図７（ｂ）に示すように引っ掛けることにより両端部４ｄを係止する。なお、図７（ｂ）のように係止時において、切り欠き４ｇの一部分である切り欠き辺４ｉが一直線上に存在するようにした場合には、係止時の収まりが良い。
（第３の実施形態）
第３の実施形態を図８〜図１１に基づいて説明する。図８は、本実施形態の分解斜視図である。図９は、本実施形態の断面図である。図１０は、本実施形態の別例の分解斜視図である。図１１は、本実施形態の別例における断面図の一部を示す図である。
【００１９】
本実施形態は、制御ブロックケース２に、照明器具本体１への取付け前に制御ブロックケース２の開口面２ａを覆って装着され、照明器具本体１への取付け時に取り外される板材５を備えたものである。
【００２０】
板材５は、制御ブロックケース２を有してなる照明器具用制御ブロックを補修部材として用いた場合に使用するもので、図８に示すように、制御ブロックケース２の開口面２ａと略同寸法のアクリル板からなる。この板材５は、照明器具用制御ブロックの照明器具本体１への取り付け前には可動片２ｆ及び爪部２ｉ間に挟みこむようにして装着されている。そして、照明器具用制御ブロックを照明器具本体１へ取り付ける時点で取り外される。
【００２１】
これにより、板材５は、照明器具用制御ブロックの使用前には開口部２ａを塞ぎ、照明器具用制御ブロックの取り扱い時に発生する静電気的、及び機械的なストレスを抑制することができる。
【００２２】
また、本実施形態の別例を、図１０及び図１１に示す。この別例においては、制御ブロックケース２の側壁２ｈに、孔部２ｊを設ける。また、板材５の両端には、突起部５ａを設ける。そして、板材５の取り付け時には、板材５の両端を開口面２ａの中心方向にたわませ、板材５の両端の突起部５ａを、孔部２ｊに挿入することで板材５を装着する。
【００２３】
これにより、板材５は、開口部２ａを塞ぐことになり、照明器具用制御ブロックの取り扱い時に発生する静電気的、及び機械的なストレスを抑制することができる。
【００２４】
なお、図１１に示すように板材５の突起部５ａを、側壁２ｈの孔部２ｊから若干突出するようにしておけば、板材５の取り外し時に、突起部５ａを制御ブロックケース２の外部から制御ブロックケース２の中心方向へ押しこむことで、板材５を、制御ブロックケース２から容易に取り外すことができる。
【００２５】
【発明の効果】
請求項１に係る発明は、開口面を照明器具本体に向けて取付けられる開口面を有する箱型の制御ブロックケースと、制御ブロックケース内の対向する側面に設けた係止部によって係止される制御基板と、制御基板と制御ブロックケース間に介在させて制御基板の片面又は両面を覆って制御基板と制御ブロックケースとを絶縁する絶縁シートと、を備えるようにしたので、制御ブロックケース及び照明器具本体と制御基板間の絶縁を一枚の絶縁シートで簡易的に高めることができる。
【００２６】
請求項２に係る発明は、請求項１記載の発明において、前記絶縁シートは、両端部近傍に孔を有し、制御基板の照明器具本体に対向する面を覆って当該孔を制御ブロックケースの対向する側面に設けた突起部に引掛けて係止するものであるようにしたので、制御基板が万が一制御ブロックケースから外れても、制御基板が器具本体に接触することを回避することができる。
【００２７】
請求項３に係る発明は、請求項１記載の発明において、前記絶縁シートは、制御ブロックケースの開口面近傍で絶縁シートの両端部を係止することにより略筒状に形成して、前記制御基板の両面を覆うものであるようにしたので、制御ブロックケースに絶縁シートを係止することなく、絶縁シートを覆うようにして絶縁シートを装着することができる。
【００２８】
請求項４に係る発明は、請求項１乃至請求項３記載の発明において、前記制御ブロックケースは、照明器具本体への取付け前に制御ブロックケースの開口面を覆って装着され、照明器具本体への取付け時に脱着される板材を備えるようにしたので、照明器具用制御ブロックの取り扱い時に発生する静電気的、及び機械的なストレスを抑制することができる。
【図面の簡単な説明】
【図１】第１の実施形態の分解斜視図である。
【図２】第１の実施形態の断面図である。
【図３】第２の実施形態の分解斜視図である。
【図４】第２の実施形態の絶縁シート４の斜視図である。
【図５】第２の実施形態の断面図を示すものである。
【図６】第２の実施形態の別例の絶縁シート４の斜視図である。
【図７】第２の実施形態の別例の切り欠き４ｇ近傍を示す図である。
【図８】第３の実施形態の分解斜視図である。
【図９】第３の実施形態の断面図である。
【図１０】第３の実施形態の別例の分解斜視図である。
【図１１】第３の実施形態の別例における断面図の一部を示す図である。
【符号の説明】
１    照明器具本体
２    制御ブロックケース
２ａ  開口面
２ｂ  側壁
２ｃ  係止部
２ｅ  突起部
２ｆ  可動片
２ｇ  凸部
２ｈ  側壁
２ｉ  爪部
３    制御基板
３ａ  面
４    絶縁シート
４ａ  側壁
４ｂ  固定孔
４ｃ  孔
４ｄ  端部
４ｅ  開口部
４ｆ  爪部
４ｇ  切り欠き
４ｈ  突起部
４ｉ  切り欠き辺
５    板材
【図１】
2004259520.tif 000003
【図２】
2004259520.tif 000004
【図３】
2004259520.tif 000005
【図４】
2004259520.tif 000006
【図５】
2004259520.tif 000007
【図６】
2004259520.tif 000008
【図７】
2004259520.tif 000009
【図８】
2004259520.tif 000010
【図９】
2004259520.tif 000011
【図１０】
2004259520.tif 000012
【図１１】
2004259520.tif 000013